(57)【要約】      （修正有）【課題】単に把手を左右に回動操作するのみにて槽内の汚水を簡単容易に排水することができるる排水弁の開閉遠隔装置に関する。【解決手段】遠隔操作によって上下に可動し排水口Ａを開閉を行わしめる排水栓１及び上記排水口Ａの下方に排水管Ｂを連設してなる排水機構において、上記排水管Ｂの内部に弁蓋支持軸６、該支軸支承枠４を一体的に支承せる弁口調整管５をねじ調整により上下可動自在に嵌装行わしめると共に梃子片９の頭部９ａを支軸作動管３の溝孔３ａに係入させ該梃子片９の作動にて支軸作動管３を上記弁口調整管５全体を同時に上下に作動行わしめ排水口の間隙を調整する作動機構及び把手の作動によって上下に伸縮する伸縮杆及び該伸縮杆と連結せる操作部とによって構成され、ワイヤの両端を上記伸縮杆と梃子片９に連動連結し、把手の操作によって排水栓１と排水口Ａの間隙を調整しながら開閉行わしめる。【選択図】  図１
2004150246.tif 000002
【特許請求の範囲】
【請求項１】
遠隔操作によって上下に可動し排水口Ａを開閉する排水弁１及び上記排水口Ａの近辺に数個の流水孔ａ．ａ．を開孔設けてなる目皿２を取替え自在に嵌装すると共に上記排水口Ａ下方に排水管Ｂを一体的に連設してなる排水機構において、上記排水管Ｂの内部に排水弁１の支軸６を支承する弁口調整管５を上下に可動すべく嵌挿すると共に該弁口調整管５の下方に適宜の間隔Ｘを隔てて支軸作動管３を上記、弁口調整管５と同様に上下可動自在に嵌挿し該支軸作動管３の上下作動により上記排水弁１を開閉する。
また操作部は左右に回動自在の把手８、該把手８の作動によって上下に伸縮する伸縮杆７及び上記、排水管Ｂの一部に梃子作用により上下に可動する梃子片９を収容せる梃子室１０にて構成されているもので上記、梃子片９の頭部９ａは支軸作動管３に開設された溝孔３ａに係入されており上記伸縮杆７と梃子片９は適当長さのワイヤＹによって連動連結し、伸縮杆７の伸縮をワイヤＹを介して梃子片９に梃子作動を付成し支軸作動管３及び弁口調整管５による上下作動により排水弁１の排水量を調整しながら開閉行わしめるように構成したことを特徴とする排水機構における排水弁の開閉遠隔装置。
【請求項２】
上記請求項１記載の弁蓋開閉機構において、弁蓋支持軸６の軸部にねじ部６ｂを、また弁軸支承枠４に上記ねじ部６ｂと螺合するねじ部６ｃを夫々設け、該ねじ部６ｂ、６ｃによるねじ調整によってと弁蓋支持軸６を上下に可動行わしめ排水弁１と排水口Ａ間の間隙を微調整行わしめることを特徴とする排水機構における排水弁の開閉遠隔装置。
【請求項３】
上記請求項１記載の弁蓋開閉機構において、把手８の回転軸１２の外部に雌ねじａを、また該雌ねじａと螺合すべく管内面に雄ねじｂもしくわ突起体を設けてなる伸縮杆７を固定管１１内に出入自在に嵌挿し、上記把手８左右回転操作により伸縮杆７を伸縮すべく構成してなる排水機構における排水弁の開閉遠隔装置。
【発明の詳細な説明】
【０００１】
【産業上の利用分野】
この発明は、流し台、浴槽等の使用後における排水弁の開閉操作をきわめて簡単な機構によって確実迅速に出来得るは勿論、排水弁の開閉微調整をも同時に行わしめようとするをその主な目的とする排水機構における排水弁の開閉遠隔装置に関するものである。
【０００２】
【従来の技術】
通常、流し台、浴槽等の槽底部に排水口が開設され該排水口に排水弁が開閉自在に取付けられているが浴槽等の場合には上記、排水弁が深槽の底部にあるがために排水時に該排水弁の開閉作業が困難であり、かかる作業を容易とする目的で遠隔操作による種々の排水弁の開閉機構が用いられている。
【０００３】
【発明が解決しようとする課題】
しかるに数回にわたる排水作業時に排水口の口周縁等部分に水垢等が付着し、閉栓時においても常時、水漏れが生じる等確実に排水口を密閉行わしめることは困難であると共に、これら排水用遠隔操作装置の殆どは浴槽等の一部に取り付けられた操作ボタンを上下に操作させ、かかる作動を遠隔操作を介して排水口を開閉しようとするものであるから構造が複雑となり円滑な開閉作動も到底求め得られず、特に操作ボタンまたは把手を上部に引き上げる等の作業は老人、身障者らでは非常に至難である等の問題点を有していた。
【０００４】
【課題を解決するための手段】
この発明は上記欠点に着眼し、排水口を常時、確実に密閉出来得るように微調整機構を排水弁に設け、且つ上記ボタン式の開閉操作を把手による操作にて行わしめようとするものであって、排水口に内部に弁口調整機構を有した弁蓋開閉機構と該弁蓋開閉機構とワイヤにて連通連結せしめた操作機構とによって構成されている。
即ち、排水管Ｂの上部近辺に弁蓋支持軸６の支承枠４を該支軸６と共に上下に可動する弁口調整管５及び該弁口調整管５下方に適宜長さの溝孔３ａを開孔してなる支軸作動管３を上下可動自在に嵌装行わしめ、該支軸作動管３の上下作動によって上記排水弁１を開閉すると共にこれらの操作は左右に回動自在の把手８、該把手８の作動によって上下に伸縮する伸縮杆７及び上記、排水管Ｂの一部に梃子作用により上下に可動する梃子片９を上記伸縮杆７と適当長さのワイヤＹにて連動連結されており上記、把手８の操作によって伸縮杆７が伸縮しワイヤＹと連通せる梃子片９の頭部９ａが支軸作動管３の溝孔３ａ介して弁口調整管５を上下同時に弁蓋支持軸６と共に可動させ排水弁１を開閉行わしめるように構成されている。
況んやこの発明は、単に把手８を左右に回動操作するのみにて槽内の汚水を簡単容易に排水可能とした排水機構における排水弁の開閉遠隔装置を提供しようとするものである。
【０００５】
【実施例と作用】
以下、この発明の実施例を図面について説明すると、Ａは貯水槽、流し台、浴槽等の槽底部に開口設けてなる排水口にて下方に排水管Ｂが一体的に連結され汚水を槽外に排水する。
上記、排水口Ａには排水弁１の下方に下端部にはウエートＦを、軸中間部にねじ部６ｂを有した弁蓋支持軸６を一体的に伸延設けると共に該弁蓋支持軸６が弁軸支承枠４を介して排水管Ｂ内において上下調整可動自在に嵌挿されている。
また弁軸支承枠４の軸部には上記弁蓋支持軸６のねじ部６ｂと螺合するねじ部６ｃが設けられ該ねじ部６ｂ、６ｃによるねじ調整によってと弁蓋支持軸６を上下に可動行わしめ排水弁１と排水口Ａ間の間隙を微調整行わしめる。
３は下方に適宜長さの溝孔３ａを開孔してなる支軸作動管にて上記弁口調整管５の下方に適宜の間隔Ｘを隔てて排水管Ｂ内を上下に可動自在に嵌挿されており該支軸作動管３による上下作動により上記弁軸支承枠４と共に弁蓋支持軸６をも上下に作動行わしめ排水弁１を開閉する機能を有している。
なお上記、間隔Ｘは弁口の調整用としての間隙である。
【０００６】
次に遠隔作動機構を説明すると、機構部分は操作部と作動部とに分かれ操作部は把手８の回転軸１２の外部に雌ねじａを、また該雌ねじａと螺合すべく管内面に雄ねじｂもしくわ突起体を付設してなる伸縮杆７を固定管１１内に出入自在に嵌挿し、上記把手８の左右可動操作によって伸縮杆７を上下に伸縮可動すべく構成されている。
また作動部は上記排水管Ｂの一部に梃子作用により上下に可動する梃子片９を梃子片支軸９ｂを軸として回動自在に支承せる梃子室１０とによって構成され、該梃子片９の頭部９ａは上記、支軸作動管３に開設された溝孔３ａに係入し、該頭部９ａの上下可動により支軸作動管３を上下に作動行わしめ間隔Ｘを介して弁口調整管３、弁蓋支持軸６を上下同時に作動させて排水弁１を開閉行わしめる。
上記、操作部と作動部とは適当長さのワイヤＹにて連動連結されている。
図示中符号２は網状皿または多数の流水孔ａ．ａを開孔せる目皿にて排水口Ａ近辺に脱着自在に嵌装されており水流内に混入せる毛髪、塵埃等の不純物を除去する機能を有している。
即ち、この発明は梃子片９の作動により梃子片９の頭部９ａが排水管３内に嵌装せる支軸作動管３を上下に可動行わしめ該支軸作動管３の上昇可動と同時に弁口調整管５を介して弁蓋支持軸６を上部に可動させ排水弁１を上部に押し上げ排水口Ａを開栓して槽内の汚水を排水管３内に流出行わしめる構成を有している。なお、この発明における操作部の説明中、把手８操作により伸縮杆７を上下作動行わしめる手段として上記ネジ機構に代え歯車等の連動機構を介して行わしめることも一考であり、また作動部の梃子片９の形状としては図示のＶ形カム形状にのみ限定されるものではない。
【０００７】
【発明の効果】
この発明は上記の如く、排水時には把手８の左右可動を伸縮杆７のらせん機構による上下作動に変換し且つ該上下作動をワイヤＹを介して梃子片９に上下作動を付成し排水弁１を弁口調整管５、排水弁支持軸６全体を上方に押し上げ排水口Ａを開口し槽内の汚水を完全に流出を行わしめることが出来得る。
また非排水時にはウエートＦ及び上記弁口調整管５及び排水弁支承軸６の重量等により排水口Ａを自然的に密閉し以て排水口部分の漏洩を完全確実に防止するは勿論、全体的構造簡単にて操作が容易、故障も皆無である等の効果がある。
特に、この発明は排水弁１を弁口調整管５と一体的に上下作動を行わしめる梃子片９とワイヤＹを介して把手８の左右回動操作により排水弁１を開閉行わしめるものであるから、従来の排水機構の如く排水用ボタンを上部に引き上げ排水行わしめる等の労力を毛頭に要することなく従って身障者、病人、老人らにおいてもきわめて安楽且つ容易に操作が出来得る等適した至便な排水弁の開閉遠隔装置といえよう。
しかも請求項２記載の如く、弁蓋支持軸６の上下調整が軸部に設けられたねじ調整によって行われるものであるから従来の如く排水口と弁蓋間には水垢等による隙間等が生じる憂いもなく従って槽内貯水時に漏洩する等の懸念が解消され経済的であるは勿論、排水時における多量、小量等水量の排水調整も可能となり排水時に生じる流水雑音をも同時に防止出来得る等益大な効果を併せ有している。
【図面の簡単な説明】
【図１】この発明に係る排水弁の遠隔開閉操作装置の作動部の断面図
【図２】同上、操作把手部の要部断面図である。
【符号の説明】
１    排水弁
３    支軸作動管
４    支軸支承枠
５    弁口調整管
６    弁蓋支持軸
７    伸縮杆
８    把手
９    梃子片
Ｙ    ワイヤ
【図１】
2004150246.tif 000003
【手続補正書】
【提出日】平成15年2月12日(2003.2.12)
【手続補正１】
【補正対象書類名】図面
【補正対象項目名】全図
【補正方法】変更
【補正の内容】
【図１】
2004150246.tif 000004
【図２】
2004150246.tif 000005